(57)【要約】【課題】  フレキシブル管の所定の位置に切刃が速やかに装着される配管用切断工具を提供する。【解決手段】  配管用切断工具１は、フレキシブル管１０を包持し、かつフレキシブル管１０の外周面に当接するガイドローラ２３、２４を有する基体部２２とフレキシブル管１０と交差する方向に伸長する把持部２１を有するフック状部材２と、把持部２１からガイドローラ２３、２４に向って突設される可動部材４とを備え、可動部材４１は把持部２１から突出する部分の長さが調整可能な支柱部４１と、支柱部４１に支持され、フレキシブル管１０の軸方向に沿って伸長するシャフト４３とそこに軸支された円板状の切刃４４及び切刃４４を挟んで軸支された切刃４４より小径のガイドローラ４５、４６と、少なくとも一方のガイドローラ４５の端部側に軸支されたゲージ部材５とを有し、ゲージ部材５はフレキシブル管１０の口径に対応する複数の位置に各口径を表示する目盛５３、５４、５５、５６が形成された表示部５２を有する。【選択図】        図１
2005161487.tif 000002
【特許請求の範囲】
【請求項１】
フレキシブル管を包持し、かつそのフレキシブル管の外周面に当接するガイド部を有する基体部と前記フレキシブル管と交差する方向に伸長する把持部を有するフック状部材と、前記把持部から前記ガイド部に向って突設される可動部材とを備え、前記可動部材は、前記把持部から突出する部分の長さが調整可能な支柱部と、前記支柱部に支持され、前記フレキシブル管の軸方向に沿って伸長するシャフトと、そこに軸支された円板状の切刃及び前記切刃を挟んで軸支された前記切刃より小径のガイドローラ対と、少なくとも一方の前記ガイドローラの端部側に軸支されたゲージ部材とを有し、前記ゲージ部材は前記フレキシブル管の口径に対応する複数の位置に各口径を表示する目盛が形成された表示部を有することを特徴とする配管用切断工具。
【請求項２】
フレキシブル管を包持し、かつそのフレキシブル管の外周面に当接する第１のガイドローラ対を支持するシャフトを有する基体部と前記フレキシブル管と交差する方向に伸長する把持部を有するフック状部材と、前記把持部から前記ガイド部に向って突設され、前記把持部から突出する部分の長さが調整可能な支柱部と、前記支柱部に支持され、前記フレキシブル管の軸方向に沿って伸長するシャフトと、そこに軸支された円板状の切刃及び前記切刃を挟んで軸支された前記切刃より小径である第２のガイドローラ対を有する可動部材と、少なくとも一方の前記基体部の側面側に軸支されたゲージ部材とを備え、前記ゲージ部材は前記フレキシブル管の口径に対応する複数の位置に各口径を表示する目盛が形成された表示部を有することを特徴とする配管用切断工具。
【請求項３】
前記表示部は、矩形状に形成されかつ前記ガイドローラ側又は前記第１のガイドローラ側の端部に逃げ部を有することを特徴とする請求項1または２に記載の配管用切断工具。
【発明の詳細な説明】
【技術分野】
【０００１】
本発明は、ガス配管等に使用されるフレキシブル管の端部を切断する配管用切断工具に関する。
【背景技術】
【０００２】
ガス配管において、例えばステンレス鋼で形成された薄肉の素管（コルゲート管）を樹脂で被覆して形成されたフレキシブル管を継手に接続する際には、フレキシブル管の先端の被覆を所定長さ（例えば１０山程度）だけ剥離し、被覆樹脂が剥離された素管を所定山数例えば７山だけ残して切断し、その剥離部分を継手本体に位置決めカラーを介してナットが螺合された継手の奥に突き当たるまで挿入し、フレキシブル管が抜けないことを確認した後、位置決めカラーを除去し、ナットと継手分解用リング及び継手本体が当たるまで、ナットを押し込むことが行われている。この差込配管においては、被覆樹脂が剥離された素管を切断する際には、先ず素管の被覆樹脂が剥離された部分の山数をカウントし、残すべき山数の位置に切断工具の切刃を当ててから手作業で切断が行われる。
【０００３】
フレキシブル管の切断に使用される工具としては、例えば特許文献１及び特許文献２に記載された構造のものが提案されている。特許文献１の図４〜図６に記載されたフレキシブル管切断用カッターは、一端側に２本の平行なローラを備え、他端側に把持部が形成された本体部を備え、把持部に設けた操作部の回転により往復動可能な軸の先端に２本のローラとの間でフレキシブル管を挟んでフレキシブル管の凹部の底部を切断する円板状の刃物を設けた構造を有する。このカッターによれば、フレキシブル管の凸部をローラに当接し、この状態で操作部を回転させてフレキシブル管の凹部に刃物を当ててから、一方の手で把持部を持ち、他方の手でフレキシブル管を持って、フレキシブル管に対して本体部を回転させることにより、フレキシブル管の凹部を切断することが可能となる。特許文献２には、給水管や給湯管などの挿入管を傷つけることなく山部と谷部を有する蛇腹状の鞘管を真直ぐに切断するために、Ｕ字状に形成した切断治具の内周側に鞘管の谷部と符号する形状の２条の凸部を形成し、これらの凸部の間に、鞘管の谷部の内面よりも鞘管の軸心側に突出しない長さに形成されている刃を設けることが記載されている。この切断治具によれば、上記凸部を鞘管の凹部に嵌合させてから治具を鞘管の外面に沿って摺動させることにより、鞘管の谷部をガイドできるので、熟練者でなくても鞘管を真直に切断することができる。また鞘管の山部を切り裂いている刃は鞘管の谷部の内面よりも軸心側に突出しないので、挿入管の損傷が防止される。
【特許文献１】特開平９−２５３９２４号公報（第２頁、図４〜６）
【特許文献２】特開平７−２１３７６１号公報（第３頁、図１〜４）
【発明の開示】
【発明が解決しようとする課題】
【０００４】
しかしながら特許文献１に記載された切断用カッターを使用する場合は、所定の谷部に刃が位置するようにカッターをセットさせるために、フレキシブル管の被覆が剥離された部分の山数を目視でカウントするという煩わしい作業を伴うといった問題が発生する。また特許文献２に記載された切断治具をフレキシブル管に適用する場合も、フレキシブル管の被覆が剥離された部分の山数を目視でカウントするという煩わしい作業を伴う。
【０００５】
従って、本発明の目的は、フレキシブル管の所定の位置に切断刃が速やかに位置決めされる配管用切断工具を提供することである。
【課題を解決するための手段】
【０００６】
上記目的を達成するために、第１発明は、フレキシブル管を包持し、かつそのフレキシブル管の外周面に当接するガイド部を有する基体部と前記フレキシブル管と交差する方向に伸長する把持部と前記把持部から前記ガイド部に向って突設される可動部材とを備え、前記可動部材は前記把持部から突出する部分の長さが調整可能な支柱部と、前記支柱部に支持され、前記フレキシブル管の軸方向に沿って伸長するシャフトと、そこに軸支された円板状の切刃及び前記切刃を挟んで軸支された前記切刃より小径のガイドローラ対と、少なくとも一方の前記ガイドローラの端部に軸支されたゲージ部材とを有し、前記ゲージ部材は前記フレキシブル管の口径に対応する複数の位置に各口径を表示する目盛が形成された表示部を有することを特徴とするものである。
【０００７】
上記目的を達成するために、第２発明は、フレキシブル管を包持し、かつそのフレキシブル管の外周面に当接する第１のガイドローラ対を支持するシャフトを有する基体部と前記フレキシブル管と交差する方向に伸長する把持部を有するフック状部材と、前記把持部から前記ガイド部に向って突設され、前記把持部から突出する部分の長さが調整可能な支柱部と、前記支柱部に支持され、前記フレキシブル管の軸方向に沿って伸長するシャフトと、そこに軸支された円板状の切刃及び前記切刃を挟んで軸支された前記切刃より小径である第２のガイドローラ対を有する可動部材と、少なくとも一方の前記基体部の側面側に軸支されたゲージ部材とを備え、前記ゲージ部材は前記フレキシブル管の口径に対応する複数の位置に各口径を表示する目盛が形成された表示部を有することを特徴とするものである。
【０００８】
本発明においては、前記ゲージ部材は、矩形状に形成されかつ前記ガイドローラ側又は前記第１のガイドローラの端部に逃げ部を有することが好ましい。
【発明の効果】
【０００９】
本発明によれば、フレキシブル管を片手で保持し、他方の手で把持部を持って基体部をフレキシブル管に挿入し、ゲージ部材の目盛のうちそのフレキシブル管の口径に対応する目盛を被覆部と剥離部との境界に一致させ、その位置で可動部材を動かしてガイドローラをフレキシブル管の外周面に当接させた後、工具全体を回転させるといった簡単な操作で、フレキシブル管の剥離部を所定の山数だけ残して切断することができる。
【発明を実施するための最良の形態】
【００１０】
以下本発明の詳細を添付図面により説明する。図１は本発明の実施の形態に係る配管用切断工具の斜視図、図２は図１に示す配管用切断工具に被切断管をセットした状態を示す正面図、図３は図１の切断工具の使用状態を示す正面図である。
【００１１】
図１〜３に示す配管用切断工具１は、一端側につまみ３を有する角柱状の把持部２１と把持部２１の他端側に設けられた円弧状の基体部２２とを有するフック状部材２と、把握部２１から上方に突設する可動部材４とを有する。把持部２１は片手で持つことができる太さを有する角柱状部材であり、その端部に可動部材４を駆動するためのつまみ３が装着されている。基体部２２の内周側には、２列のガイドローラ２３、２４を回転可能に支持するピン２５、２６の両端部が固定されている。尚、本実施の形態は、フレキシブル管１０を回転可能に支持する２列のガイドローラ２３、２４を説明したが、フレキシブル管を支持できる部材であれば、ガイドローラの代わりに例えば固定された円柱形状のガイド部であってもよい。可動部材４は、つまみ３の回転により把持部２１から突き出る長さが変化する支柱部４１とその一方の端部に形成された切り込み部４２を横切るように装着されたシャフト４３を有する。シャフト４３には、切り込み部４２に配置される円板状の切刃４４とその両側に位置するガイドローラ４５、４６が回転可能に支持されると共に、一方のガイドローラ４５の端部には、矩形状のゲージ板（ゲージ部材）５が回動可能に支持されている。ガイドローラ４５、４６の外径は、切刃４４よりも小径に形成され、具体的な寸法はガイドローラ４５、４６がフレキシブル管１０（図１では省略）の山部に当接した時に、切刃４４がフレキシブル管１０の谷部に食い込む程度に設定される。ゲージ板５は、シャフト４３が挿入される軸部５１とフレキシブル管１０の軸方向に沿って所定間隔をおいて複数の目盛５３、５４、５５、５６が形成された表示部５２からなり、各目盛の近傍にはその目盛に対応するフレキシブル管１０の口径（例えば１０Ａ、１５Ａ、２０Ａ、２５Ａ）が表示されている。各目盛は、被覆部１１と剥離部１２の境界Ｓから切刃４４までの距離（Ｌ）が所定の山数（例えば７山）に対応する長さとなるような位置に形成されている。表示部５２は、矩形板状に形成され、さらにフレキシブル管１０の口径が大きい場合（例えば２０Ａ、２５Ａ）、表示部５２をフレキシブル管１０に当接する際に基体部２２との干渉を防止するために、表示部５２のガイドローラ４５側の端部の一部は欠除されて、逃げ部５７が設けられている。
【００１２】
次に、図３に基いて上記の配管用切断工具１の使用例を説明する。
作業者（不図示、但し右利き）が片手（右手）で把持部２１を握って基体部２２がフレキシブル管１０（例えば口径は２５Ａ）を抱え込むように工具１をセットし、他方の手（左手）でゲージ板５を回転させてその表示部５２をフレキシブル管１０の外周面（山部）に当接し、次いで右手を動かして表示部５２に形成された目盛５３が被覆部１１と剥離部１２の境界Ｓに位置するように切断工具１をフレキシブル管１０の軸方向に沿って移動させる。その位置でつまみ３を所定方向に回転させて、ガイドローラ４５、４６と切刃４４をフレキシブル管１０に当接させた後、片手（左手）でフレキシブル管１０を掴みながら他方の手（右手）で把握部２１を握って工具１をフレキシブル管１０の周りで例えば数回、回転させることにより、フレキシブル管１０は、その剥離部１２が例えば７山を残した状態に切断される。フレキシブル管１０が切断された後は、つまみ３を上記とは反対方向に回転させて、ガイドローラ４５、４６をフレキシブルル管１０から遠ざければよい。
【００１３】
上記の切断工具１が所定の位置にセットされたことを確認し易くするために、ゲージ板５は透明又は半透明な樹脂（例えばアクリル樹脂）で形成することが好ましい。またガイドローラの材質に制限はないが、例えば一方のガイドローラ（例えば２３、２４）は硬質プラスチック（例えばポリアミド樹脂）で形成され、他方のガイドローラ（例えば４５、４６）は弾性体（例えばゴム）で形成されることが好ましい。この構成により、フレキシブル管１０は３組のガイドローラの間で切刃４４がフレキシブル管１０の谷部に直角に当たるように保持されるので、フレキシブル管１０をより確実に真直に切断することができる。
【００１４】
図４及び図５により、可動部材の内部構造とゲージ板をガイドローラの両側に設けた構造を説明する。図４及び図５は本発明の他の実施の形態に係わる配管用切断工具の正面図及び可動部材の一部を破断した正面図であり、両図において図１と同一機能部分は同一の参照符号で示す。把持部２１の内部には、そこから一部が突出するような長さを有する角柱状の支柱部４１が挿入されている。支柱部４１の内部には、めねじが形成され、そこにねじ部材４７の一端部側に形成されたおねじ部４８が螺合されている。支柱部４１の他端部は縮径され、その端面にねじ部材４７の他端部に形成された環状のつば部４９が当接されている。把持部２１の端部に形成されたねじ部２７に、上記縮径部及びつば部４９を含むねじ部材４７の他端部を受取るキャップ３１が螺着されることにより、支柱部４１は把持部２１に保持されている。またツマミ３の回転により支柱部４１を駆動するねじ部材４７が回転できるようにするために、ツマミ３はボルト３２によりねじ部材４７の端面に固定されている。
【００１５】
左利きの作業者がこの配管用切断工具１により、パイプを切断する場合は、作業者（不図示）が片手（左手）で把持部２１を握って基体部２２がフレキシブル管１０を抱え込むように工具１をセットし（図４）、次いで他方の手（右手）でガイドローラ４６に隣接するゲージ板５を回転させて、その表示部５２をフレキシブル管１０の外周面（山部）に当接し、次いで左手を動かして表示部５２の目盛（不図示）が被覆部と剥離部の境界（不図示）に位置するように切断工具１をフレキシブル管１０の軸方向に移動し、その位置でつまみ３を所定方向に回転させて、切刃４４をフレキシブル管１０に当接させる。片手（右手）でフレキシブル管１０を掴みながら、他方の手（左手）で把握部２１を握って切断工具１をフレキシブル管１０の周りで回転させることにより、フレキシブル管１０の剥離部は、所定の山数を残した状態に切断される。図1に示す配管用切断工具１は、ゲージ板５がガイドローラ４５の端部に装着されているので、右利きの作業者にとっては使い易いが、左利きの作業者にとっては操作性の点でやや難点がある。これに対し、図４に示す切断工具はゲージ板５がガイドローラ４６の端部にも装着されているので、上記の如く左利きの作業者でも使い易いものとなる。
【００１６】
図６により、本発明の配管用切断工具の他の例を説明する。図６は本発明の他の実施の形態に係わる配管用切断工具の正面図及び可動部材の一部を破断した正面図であり、同図において図５と同一機能部分は同一の参照符号で示す。基体部２２の内周側には、２列の第１のガイドローラ２３、２４（図６では一列のみを示す）を回転可能に支持するピン（不図示）の端部が固定されている。基体部２２の両側面側には、ピン２８が突設され、これらのピン２８に軸部５１と表示部５２からなるゲージ板５が回動可能に支持されている。ここで、一方のピン２８とゲージ板５を省略してもよい。あるいは、両ガイドローラ２３、２４を支持するピンを基体部２２の少なくとも一方の端部から延出させ、その延出部に軸部５１と表示部５２からなるゲージ板５を回動可能に支持してもよい。また、２個の第２のガイドローラ４５、４６は、図５の切断工具と同様に、外径が切刃４４よりも小径に形成され、切刃４４の両側に回転可能に支持されている。この配管用切断工具によれば、図１の切断工具と同様の手順で操作することにより、フレキシブル管１０の剥離部を所定の山数だけ残して切断することができる。この配管用切断工具においては、第１のガイドローラ２３の端部側のみにゲージ板５を設けてもよいが、両第１のガイドローラ２３、２４の端部側にゲージ板５が装着されているので、図４に示す切断工具と同様に左利きの作業者でも使い易いものとなる。
【図面の簡単な説明】
【００１７】
【図１】本発明の実施の形態に係る配管用切断工具の斜視図である。
【図２】図１の配管用切断工具の使用状態を示す正面図である。
【図３】図１の配管用切断工具の正面図である。
【図４】本発明の他の実施の形態に係る配管用切断工具の正面図である。
【図５】図４の配管用切断工具の一部を破断した正面図である。
【図６】本発明の他の実施の形態に係る配管用切断工具の一部を破断した正面図である。
【符号の説明】
【００１８】
１：配管用切断工具、２：フック状部材、２１：把持部、２２：基体部、２３、２４：ガイドローラ（ガイド部）、２５、２６、２８：ピン、２７：ねじ部
３：ツマミ、３１：キャップ、３２：ボルト
４：可動部材、４１：支柱部、４２：切り込み部、４３：シャフト、４４：切刃、４５、４６：ガイドローラ、４７：ねじ部材、４８：おねじ部、４９：つば部
５：ゲージ板（ゲージ部材）、５１：軸部、５２：表示部、５３、５４、５５、５６：目盛、５７：逃げ部
１０：フレキシブル管、１１：被覆部、１２：剥離部
【図１】
2005161487.tif 000003
【図２】
2005161487.tif 000004
【図３】
2005161487.tif 000005
【図４】
2005161487.tif 000006
【図５】
2005161487.tif 000007
【図６】
2005161487.tif 000008